(57)【要約】    【課題】  従来技術における上述の課題を克服し、取り扱いや施工の容易なパック詰め炭化物を提供することである。    【解決手段】  袋（１２）と、袋の内部に収容された粒状又は粉状の炭化物（１４）とを備え、袋に、炭化物を入れるための開放端（１２ａ）と、開放端とほぼ直交する方向に延びた１又は複数の仕切り（１２ｂ）とが設けられており、炭化物が、籾殻、蕎麦殼、又は植物を４００°Ｃ以上で焼成することによって形成されるものであることを特徴とするパック詰め炭化物（１０）。好ましくは、開放端と仕切りの端部との間に、仕切りのない領域が設けられている。【選択図】  図１
2005218849.tif 000002
【特許請求の範囲】
【請求項１】
袋と、前記袋の内部に収容された粒状又は粉状の炭化物とを備え、
前記袋に、前記炭化物を入れるための開放端と、前記開放端とほぼ直交する方向に延びた１又は複数の仕切りとが設けられており、
前記炭化物が、籾殻、蕎麦殼、又は植物を４００°Ｃ以上で焼成することによって形成されるものであることを特徴とするパック詰め炭化物。
【請求項２】
前記袋の内面に、ポリテトラフルオロエチレンが吹き付けられ、又は塗布されていることを特徴とする請求項１に記載のパック詰め炭化物。
【請求項３】
前記開放端と前記仕切りの端部との間に、仕切りのない領域が設けられていることを特徴とする請求項１又は２に記載のパック詰め炭化物。
【請求項４】
前記仕切りが、連続的な形態又は断続的な形態のいずれかを有していることを特徴とする請求項１から請求項３までのいずれか１項に記載のパック詰め炭化物。
【請求項５】
前記袋が、織布又は不織布で形成されていることを特徴とする請求項１から請求項４までのいずれか１項に記載のパック詰め炭化物。
【発明の詳細な説明】
【技術分野】
【０００１】
本発明は、パック詰め炭化物に関する。本発明に係るパック詰め炭化物は、建築物の断熱用資材、調湿用資材、消臭資材、化学物質を分解又は減少させる資材、水質浄化資材、空気浄化用資材に用いられる。また、本発明に係るパック詰め炭化物（特に、袋の内面にポリテトラフルオロエチレンを吹き付け又は塗布したもの）を、寝具類（例えば、シーツ、掛け布団、枕など）としても利用することができる。
【背景技術】
【０００２】
従来、建築物の断熱用資材等として、グラスウール、ロックウール、ウレタン、石綿、岩綿などが用いられている。
【発明の開示】
【発明が解決しようとする課題】
【０００３】
しかしながら、グラスウールやロックウールを用いた場合には、化学物質が溶出して空気中を浮遊し、人体に悪影響を及ぼすという課題がある。また、ウレタンや石綿、岩綿を用いた場合には、火災時に有毒ガスが発生するおそれがある。さらに、グラスウール、ロックウール、ウレタン、石綿、岩綿を用いた場合には、建築物の解体時に有毒物質が飛散し、周囲環境に悪影響を与えるという課題がある。
【０００４】
したがって、本発明は、従来技術における上述の課題を克服したパック詰め炭化物を提供することを目的としている。
【課題を解決するための手段】
【０００５】
本願請求項１に記載のパック詰め炭化物は、袋と、前記袋の内部に収容された粒状又は粉状の炭化物とを備え、前記袋に、前記炭化物を入れるための開放端と、前記開放端とほぼ直交する方向に延びた１又は複数の仕切りとが設けられており、前記炭化物が、籾殻、蕎麦殼、又は植物を４００°Ｃ以上で焼成することによって形成されるものであることを特徴とするものである。
【０００６】
本願請求項２に記載のパック詰め炭化物は、前記袋の内面に、ポリテトラフルオロエチレンが吹き付けられ、又は塗布されていることを特徴とするものである。
【０００７】
本願請求項３に記載のパック詰め炭化物は、前記請求項１又は２のパック詰め炭化物において、前記開放端と前記仕切りの端部との間に、仕切りのない領域が設けられていることを特徴とするものである。
【０００８】
本願請求項４に記載のパック詰め炭化物は、前記請求項１から請求項３までのいずか１項のパック詰め炭化物において、前記仕切りが、連続的な形態又は断続的な形態のいずれかを有していることを特徴とするものである。
【０００９】
本願請求項５に記載のパック詰め炭化物は、前記請求項１から請求項４までのいずれか１項のパック詰め炭化物において、前記袋が、織布又は不織布で形成されていることを特徴とするものである。
【発明の効果】
【００１０】
本発明のパック詰め炭化物においては、仕切りが設けられているので、内部に収容された炭化物が一方に片寄ることがなく、持ち運び、取り扱い、施工などを極めて容易に実施することができる。また、本発明のパック詰め炭化物では、開放端と仕切りの端部との間に仕切りのない領域が設けられているので、袋内に炭化物を入れるのが容易である。本発明のパック詰め炭化物は、良好な消臭作用、ガス吸着作用、ホルムアルデヒドの分解作用、調湿作用などを有する炭化物が、微孔を有する袋内に入れられているので、これらの作用を有する建築資材として、有用に利用される。また、本発明のパック詰め炭化物は、断熱資材としても利用される。本発明のパック詰め炭化物は、例えば、外壁と内壁との間の空間に配置される。さらに、袋の内面にＰＴＦＥの膜を設けることによって、袋自体の強度が増して破れにくくなり、特に寝具類（例えば、シーツ、掛け布団、枕など）としての使用に好適なものとなる。
【発明を実施するための最良の形態】
【００１１】
次に図面を参照して、本発明の好ましい実施の形態に係るパック詰め炭化物について詳細に説明する。図１は、本発明の好ましい実施の形態に係るパック詰め炭化物を示した一部切り取り斜視図である。図１において全体として参照符号１０で示される本発明の好ましい実施の形態に係るパック詰め炭化物は、袋１２と、袋１２の内部に収容された粒状又は粉状の炭化物１４とを備えている。
【００１２】
袋１２は、一端１２ａが開放した矩形の形状に形作られている。一端１２ａは、後述するように、炭化物１４を収容する際の入口となる。袋１２の内部には、一端１２ａとほぼ直交する方向に延びた仕切り１２ｂが設けられている。仕切り１２ｂは、袋１２の内部に収容された炭化物１４が袋１２内の一方に片寄るのを防止する役目を果たす。仕切り１２ｂの端部１２ｂ１は、好ましくは、袋１２の一端１２ａから所定距離隔てた個所に設けられている（換言すると、袋１２の開放した一端１２ａと仕切り１２ｂの端部１２ｂ１との間は、仕切りのない領域となる）。これは、袋１２内に炭化物１４を収容する際、炭化物１４を入れ易くするためである。
【００１３】
図面では、仕切り１２ｂは、２つ設けられているが、仕切りの数を１つにしてもよく、或いは３つ以上にしてもよい。また、仕切り１２ｂは、連続的な形態のものとして図示されているが、仕切りを断続的な形態にしてもよい。仕切り１２ｂは、ヒートシール、縫合などの任意の公知の手段で形成されている。
【００１４】
なお、袋１２は、織布又は不織布で形成されている。
【００１５】
炭化物１４は、籾殻、蕎麦殼などの他、竹などの植物を約４００°Ｃ以上で焼成することによって形成される。
【００１６】
炭化物には、消臭作用、ガス吸着作用、ホルムアルデヒドの分解作用、調湿作用などがあるのが知られており、また、断熱効果を備えている。特に、籾殻を焼成することによって得られる籾殻炭化物は、備長炭の約１０倍の気孔があるため、顕著な消臭作用、ガス吸着作用、ホルムアルデヒドの分解作用、調湿作用などを有している。
【００１７】
図３は、パック詰め炭化物１０を製造する手順を示した一連の図である。まず、図３（ａ）に示されるように、袋１２の開放端１２ａを開け、開放端１２ａから袋１２内に炭化物１４を入れる（図３（ｂ）参照）。袋１２内の炭化物が一杯になったら（図３（ｃ）参照）、開放端１２ａを縫合などの任意の手段で閉鎖することによって、パック詰め炭化物１０が完成する（図３（ｄ）参照）。
【００１８】
図４は、籾殻炭化物の消臭性能を検証するための行った試験の結果を示した表である。本試験では、一定濃度のホルムアルデヒドに対する籾殻炭化物消臭性能を時間を追って測定した。測定に際しては、容量５リットルのテドラーバッグに、籾殻炭化物１グラムを入れ、その後、３リットルのホルムアルデヒド・ガス（濃度既知）を注入する。次いで、テドラーバッグを２８°Ｃの恒温器に入れ、検知管を用いて、一定時間毎にホルムアルデヒド濃度を測定した。一方、籾殻炭化物の消臭性能と対比させるため、籾殻炭化物を入れないテドラーバッグも準備した。試験の結果、籾殻炭化物を入れないテドラーバッグのホルムアルデヒド濃度は、２４時間経過後も殆ど変化がないのに対して、籾殻炭化物を入れたテドラーバッグのホルムアルデヒド濃度は、４時間経過すると、激減することが分かった。これにより、籾殻炭化物の良好な消臭性能が実証された。
【００１９】
本発明は、以上の発明の実施の形態に限定されることなく、特許請求の範囲に記載された発明の範囲内で、種々の変更が可能であり、それらも本発明の範囲内に包含されるものであることはいうまでもない。
【００２０】
例えば、前記実施の形態において、袋１２は、矩形の形状を有しているが、任意の他の形状の袋を用いてもよい。
【００２１】
また、図５に示されるように、袋１２の内面に、ポリテトラフルオロエチレン（ＰＴＦＥ）の膜１６を設けてもよい。膜１６の設置は、ポリテトラフルオロエチレンの水分散液を袋１２の内面に吹き付け或いは塗布することによって行われる。このようにして膜１６を設置することによって、袋１２自体の強度が増すので、破れにくくなる。特に、パック詰め炭化物を寝具類（例えば、シーツ、掛け布団、枕など）としても用いようとすると、袋１２が擦れて破れ易くなるが、膜１６を設けることによって、寝具類として利用がし易くなる。
【図面の簡単な説明】
【００２２】
【図１】本発明の好ましい実施の形態に係るパック詰め炭化物を示した一部切り取り斜視図である。
【図２】図２（ａ）は図１の線２ａ−２ａに沿った断面図、図２（ｂ）は図１の線２ｂ−２ｂに沿った断面図である。
【図３】パック詰め炭化物を製造する手順を示した一連の図である。
【図４】籾殻炭化物の消臭性能を検証するための行った試験の結果を示した表である。
【図５】袋の内面にＰＴＦＥの膜が設けられている変形例を示した図２と同様の図である。
【符号の説明】
【００２３】
１０  パック詰め炭化物
１２  袋
１２ａ  開口端
１２ｂ  仕切り
１２ｂ１  仕切りの端部
１４  粒状又は粉状の炭化物
１６  ＰＴＦＥの膜
【図１】
2005218849.tif 000003
【図２】
2005218849.tif 000004
【図３】
2005218849.tif 000005
【図４】
2005218849.tif 000006
【図５】
2005218849.tif 000007